(57)【要約】      （修正有）【課題】リング外径が異なるドリルでも安全に受入れることができるツールポストを提供する。【解決手段】ホルダ部８を構成するための複数のホルダ片７と、ホルダ片７の下方部が収容される収容部と、収容部内にあって下方部をホルダ片７を回転可能にして連結する部材１１と、収容部内で上下動ができる移動体５であって下方部と山型方向のテーパ面で接触するものと、収容部内で移動体５を下方から押上げるスプリング４とを備え、ホルダ部８の径が大きくなろうとする場合にスプリング４によって抗力が起きるようにした。【選択図】図１
2016043432.tif 000002
【特許請求の範囲】
【請求項１】
基板に穴明けを行うためのドリルを交換する際にドリルを一時的に保持するためのツールポストであって挿入されたドリルリングを所定位置で止め当該位置に保持するホルダ部を有するものにおいて、前記ホルダ部を構成するための複数のホルダ片と、当該ホルダ片の下方部が収容される収容部と、当該収容部内にあって前記下方部を前記ホルダ片を回転可能にして連結する部材と、前記収容部内で上下動ができる移動体であって前記下方部と山型方向のテーパ面で接触するものと、前記収容部内で前記移動体を下方から押上げるスプリングとを備え、前記ホルダ部の径が大きくなろうとする場合に前記スプリングによって抗力が起きるようにしたことを特徴とするツールポスト。
【発明の詳細な説明】
【技術分野】
【０００１】
本発明は、テーブルに載置されたプリント基板の如き基板にドリルを用いて穴明けを行うドリル穴明け装置において、ドリルを交換する際にドリルを一時的に保持するためのツールポストに関する。
【背景技術】
【０００２】
ドリル穴明け装置においては、特許文献１及び２に開示されているように、ドリルを交換する場合に古いドリルや新しいドリルを一時的に保持しておくためのツールポストが備えられる。
【先行技術文献】
【特許文献】
【０００３】
【特許文献１】特開平2000−42996号公報
【特許文献２】特開平2002−307220号公報
【発明の概要】
【発明が解決しようとする課題】
【０００４】
通常、外径の異なるドリルであっても、ドリルのシャンク部に同じ外径のリングをはめ込むことによってツールポストでの受入れを容易にしているが、リング外径が異なるドリルが混在して使用される場合があり、このようなドリルがツールポストに挿入されると、ツールポストの受入れ口を破損させたり、正常な状態でドリルを保持することができない問題点があった。
【０００５】
そこで、本発明は、リング外径が異なるドリルでも安全に受入れることができるツールポストを提供することを目的とするものである。
【課題を解決するための手段】
【０００６】
上記課題を解決するため、請求項１に記載のツールポストにおいては、基板に穴明けを行うためのドリルを交換する際にドリルを一時的に保持するためのツールポストであって挿入されたドリルリングを所定位置で止め当該位置に保持するホルダ部を有するものにおいて、前記ホルダ部を構成するための複数のホルダ片と、当該ホルダ片の下方部が収容される収容部と、当該収容部内にあって前記下方部を前記ホルダ片を回転可能にして連結する部材と、前記収容部内で上下動ができる移動体であって前記下方部と山型方向のテーパ面で接触するものと、前記収容部内で前記移動体を下方から押上げるスプリングとを備え、前記ホルダ部の径が大きくなろうとする場合に前記スプリングによって抗力が起きるようにしたことを特徴とする。
【発明の効果】
【０００７】
本発明によれば、リング外径が異なるドリルでも安全に受入れることができるツールポストを提供することができる。
【図面の簡単な説明】
【０００８】
【図１】本発明の一実施例となるツールポストに大きい外径を持つドリルリング付いたドリルが挿入された場合の動作を説明するための図である。
【図２】本発明の一実施例となるツールポストに標準の外径を持つドリルリング付いたドリルが挿入された場合の動作を説明するための図である。
【図３】本発明の一実施例となるツールポストの平面図である。
【図４】図３におけるＡ−Ａ断面図である。
【発明を実施するための形態】
【実施例】
【０００９】
以下、本発明の一実施例について説明する。図３は本発明の一実施例となるツールポストの平面図、図４は図３におけるＡ−Ａ断面図である。
図３と４において、１は円形の貫通孔２が形成された円形のスリーブである。貫通孔２の上方部分の径は若干小さく、下方部分の径は若干大きい。貫通孔２の下端部分には底板３が固定されている。底板３の上側にはスプリング４を介してドーナツ状のスライダ５が置かれ、貫通孔２内で上下動できるようになっている。スライダ５の上部には、互いにギャップ６で離間している４つのホルダ片７から成るホルダ部８が組立てられている。
【００１０】
ホルダ片７はスリーブ1から突出している部分とスリーブ1内に収容されている部分とがある。スリーブ1内に収容されているホルダ片７の下方部にはコ字型の溝１０が外周側に形成されており、ここに４つのホルダ片７をスリーブ1内で連結するための連結リング１１がはめ込まれている。スライダ５の上部には、山型となる方向のテーパ部１２が形成してあり、ドリルが挿入されていない場合、スプリング４で押上げられているスライダ５のテーパ部１２はホルダ片７の下方部に形成されたテーパ面と接触した状態になっている。
【００１１】
ホルダ片７のスリーブ1から突出している部分においては、上端部はドリルリングの挿入が容易になるよう、最上端に向かって徐々に肉厚が小さくなっている。また、挿入されたドリルリングのそれ以上の進入を止め、その位置に保
持しておくためのストッパ部９を形成するため、ある深さのところから内径が小さくなっている。
【００１２】
以上の構造のツールポストの動作は以下の通りである。
上記の状態で、標準ではない大きい外径を持つドリルリング１３の付いたドリル１４が挿入された場合、ホルダ部８の径が大きくなろうとするため、各ホルダ片７が連結リング１１を中心にして外側方向に回転する。この際、各ホルダ片７の下方部にあるテーパ面際の鋭角部がスライダ５のテーパ部１２をスプリング４の力に逆らって押下げる格好になるので、ホルダ片７が内側方向に力を与えられた状態で、ホルダ部８はドリルリング１３を受入れ、ホルダ片７の内周側に設けられたストッパ部９まで進入させ、この位置で保持される。図１はこの状態を示している。
【００１３】
一方、標準となる外径を持つドリルリング１５の付いたドリル１６が挿入された場合、ホルダ部８の径が若干大きくなろうとするため、各ホルダ片７が外側方向に撓むか、及びあるいは各ホルダ片７が連結リング１１を中心にして若干外側方向に回転する。これにより、ホルダ片７が内側方向に力を与えられた状態で、ホルダ部８はドリルリング１５を受入れ、ホルダ片７に設けられたストッパ部９まで進入させ、この位置で保持される。図２はこの状態を示している。
【００１４】
上記実施形態によれば、ドリルリングの外径が標準の場合でも、それより大きい場合でも、ドリルを安全に受入れ、抗力をもって所定の位置に保持することができる。
【００１５】
上記実施形態においては、ホルダ片７は４個の場合を示したが、少なくとも２個あれば良く、５個以上であっても良い。また、ホルダ片７の下方部を連結リング１１によって連結したが、各ホルダ片７が外側方向に回転できるなら、他の手段であっても良い。
【符号の説明】
【００１６】
１：スリーブ  ２：貫通孔  ３：底板  ４：スプリング  ５：スライダ
６：ギャップ  ７：ホルダ片  ８：ホルダ部  ９：ストッパ部  １０：溝
１１：連結リング  １２：テーパ部  １３、１５：ドリルリング
１４、１６：ドリル  
【図１】
2016043432.tif 000003
【図２】
2016043432.tif 000004
【図３】
2016043432.tif 000005
【図４】
2016043432.tif 000006